(57)【要約】【課題】そのクラウン部に蓋板と前記クラウン部本体との間の接合部が裂けにくく、容易にルーズにならない上、序に、全体の重心がもっと低くなったゴルフクラブヘッドを提供しようとすることをその目的とする。【解決手段】そのクラウン部に蓋板付きの開口がある中空形のゴルフクラブヘッドにおいて、前記開口の周縁に前記クラウン部から突出してなっている環状の凸縁があり、また、前記蓋板がプラスチック製のものであって、前記開口内に嵌め込まれると共に、その内面周縁が前記凸縁の外面に当たって粘着されているゴルフクラブヘッドを提供し、特に、前記蓋板の内面周縁と前記凸縁の外面との間に、更に、凹凸嵌合機構が形成されているゴルフクラブヘッドを提供する。【選択図】図１
2009022571.tif 000002
【特許請求の範囲】
【請求項１】
そのクラウン部に蓋板付きの開口がある中空形のゴルフクラブヘッドにおいて、
前記開口の周縁に前記クラウン部から突出してなっている環状の凸縁があり、
また、前記蓋板がプラスチック製のものであって、前記開口内に嵌め込まれると共に、その内面周縁が前記凸縁の外面に当たって粘着されていること
を特徴とするゴルフクラブヘッド。
【請求項２】
そのクラウン部に蓋板付きの開口がある中空形のゴルフクラブヘッドにおいて、
前記開口の周縁に前記クラウン部から突出してなっている環状の凸縁があり、
前記蓋板がプラスチック製のものであって、前記開口内に嵌め込まれると共に、その内面周縁が前記凸縁の外面に当たって粘着されており、
また、前記蓋板の内面周縁と前記凸縁の外面との間に、更に、凹凸嵌合機構が形成されていること
を特徴とするゴルフクラブヘッド。
【請求項３】
前記凹凸嵌合機構における凹機構は少なくとも前記凸縁の外面に開口を有するように、凸機構は前記蓋板の内面周縁に前記凹機構の開口と対応するように、それぞれ形成されていることを特徴とする請求項２に記載のゴルフクラブヘッド。
【請求項４】
前記凹機構は前記開口の周縁に沿っている環状溝となっていることを特徴とする請求項３に記載のゴルフクラブヘッド。
【請求項５】
前記凸縁の外面には前記環状溝の内外周縁をそれぞれ沿っている二つの環状平面が形成されており、
この二つの環状平面は同一の平面にあって共に前記蓋板の内面周縁と当たっていることを特徴とする請求項４に記載のゴルフクラブヘッド。
【請求項６】
前記凹機構は通孔となっており、
前記凸機構は、開きボルト構造であって、前記凹機構の通孔を貫通してから張り出して前記通孔周縁にある前記凸縁の内面に引っ掛けて、引き出されないようになっていることを特徴とする請求項３に記載のゴルフクラブヘッド。
【発明の詳細な説明】
【技術分野】
【０００１】
本発明は、ゴルフクラブヘッドに関し、特にそのクラウン部に蓋板付きの開口がある中空形のゴルフクラブヘッドに関する。
【背景技術】
【０００２】
従来から、図４に示すように、そのクラウン部４に蓋板４１付きの開口４２がある中空形のゴルフクラブヘッドがある（特許文献１を参照）。このようなゴルフクラブヘッドは、前記開口４２にあたる部分が炭素繊維製の蓋板４１に変えられたので、そのクラウン部４が割合に軽量になってゴルフクラブヘッド全体の重心が従来より低くなっており、打球時の打ち出し角及び打たれたゴルフボールの飛翔軌道に有利であり、歓迎されている。
【０００３】
しかし、クラウン部の一部に代えて炭素繊維製の蓋板を使用するのが、重量削減及び重心降下の点ついて、確かに効果があるが、炭素繊維製の蓋板は、変形能力が良くなく、金属製のクラウン部本体の、気温による変形及び打球時の衝撃応力による変形に対応できないので、それとの間にある接合部に裂け目ができ易く、ルーズになることも時々ある、という欠点がある。
【特許文献１】台湾特許第Ｍ２６６９４７号
【発明の開示】
【発明が解決しようとする課題】
【０００４】
前記に鑑みて、本発明は、そのクラウン部に蓋板付きの開口がある中空形のゴルフクラブヘッドであって、前記蓋板と前記クラウン部本体との間の接合部が裂けにくく、容易にルーズにならないゴルフクラブヘッドを提供しようとすることをその第一の目的とする。
【０００５】
前記第一の目的の他に、本発明は、序に、前記蓋板ないし前記クラウン部がもっと軽量になり、即ち全体の重心がもっと低くなったゴルフクラブヘッドを提供しようとすることをその第二の目的とする。
【課題を解決するための手段】
【０００６】
上記目的を達成するために、本発明は、そのクラウン部に蓋板付きの開口がある中空形のゴルフクラブヘッドにおいて、前記開口の周縁に前記クラウン部から突出してなっている環状の凸縁があり、また、前記蓋板がプラスチック製のものであって、前記開口内に嵌め込まれると共に、その内面周縁が前記凸縁の外面に当たって粘着されているゴルフクラブヘッドを提供し、特に、前記蓋板の内面周縁と前記凸縁の外面との間に、更に、凹凸嵌合機構が形成されているゴルフクラブヘッドを提供する。
【０００７】
なお、前記凹凸嵌合機構の実施形態として、凹機構が少なくとも前記凸縁の外面に開口を有するように、凸機構が前記蓋板の内面周縁に前記開口と対応するように、それぞれ形成されているものが挙げられるが、場合により、凸機構が前記凸縁の外面に、凹機構が前記蓋板の内面周縁に形成されても良い。しかし、凹機構が前記凸縁の外面に開口を有するように形成される場合、この凹機構は底のある窪みや溝になっても底のない通孔になっても良い。凹機構が前記蓋板の内面周縁に開口を有するように形成される場合、この凹機構は底のある溝になった方が良い。これは、凹機構が前記蓋板に通孔となると、ゴルフクラブヘッドの見栄えを悪くさせる外、他に何の役にも立たないからである。
【発明の効果】
【０００８】
前記構成によるゴルフクラブヘッドは、まずその蓋板が炭素繊維からプラスチック材料に変えられたので、変形性が良くなり、金属製のクラウン部本体の、気温による変形及び打球時の衝撃応力による変形によく対応でき、それとの間にある接合部に裂け目ができにくく、ルーズにならない。特に、蓋板の内面周縁と前記凸縁の外面との間に、凹凸嵌合機構が形成されている場合、更に丈夫で、ルーズにならない。
また、プラスチック材料は炭素繊維より比重が小さいので、蓋板ないしクラウン部が従来より軽量になり、全体の重心がもっと低くなる。
【発明を実施するための最良の形態】
【０００９】
以下、本発明に関するゴルフクラブヘッドの好適な実施形態を、図面を参照しながら説明する。なお、図中、似ている部分には、同一の参照符号を付する。
まず、図１を参照しながら本発明の第１の実施形態例のゴルフクラブヘッドを説明する。
ゴルフクラブヘッドは、打球時の姿勢からみれば、大別して上のクラウン部、下のソール部、前面の打球面としてのフェース部、及び両側のサイド部に分けられるが、本発明は、クラウン部を中心とするものであるので、他の部分を合わせてヘッド本体と称する。なお、以下の説明では、ウッド型のヘッドが例示されている。
【００１０】
図１に示すように、本実施形態例のゴルフクラブヘッドは、そのクラウン部１に蓋板１１付きの開口１２がある中空形のものである。このゴルフクラブヘッドにおいて、開口１２の周縁にクラウン部１から突出してなっている環状の凸縁１３があり、また、蓋板１１はプラスチック製のものであって、開口１２内に嵌め込まれると共に、その内面周縁が凸縁１３の外面に当たって粘着されている。
【００１１】
図示をもっと詳しくみると、蓋板１１の内面周縁と凸縁１３の外面との間に、更に、凹凸嵌合機構が形成されている。
前記凹凸嵌合機構における凹機構１３１は凸縁１３の外面に、凸機構１１１は蓋板１１の内面周縁にそれぞれ形成されている。なお、凹機構１３１は開口１２の周縁に沿っている環状溝となっており、凸機構１１１は蓋板１１の内面周縁の端部に前記環状溝と対応するように突出している。
【００１２】
また、この実施形態例では、ヘッド本体１０は、チタン合金からなったものであるが、他の例えばアルミ合金、マグネシウム合金及びステンレス鋼など強靭度の高い金属材からなったものを使用しても良い。
また、蓋板１１は、アクリロニトリルブタジエンスチレン樹脂（ＡＢＳ樹脂）からなったものであるが、他の例えば芳香族ポリエーテルケトン樹脂（例えば、ポリエーテルエーテルケトン；ＰＥＥＫ）など比重１．７未満の軽量／強力プラスチック材からなったものを使用しても良い。
【００１３】
この実施形態例のゴルフクラブヘッドでは、その蓋板１１は比重が従来より０．５〜０．９（炭素繊維が比重１．７〜２．０位）位低い１．１〜１．２になっているので、ゴルフクラブヘッド全体の重心高さが従来より低くなっている。また、その蓋板１１は変形能力が従来より良くなっているので、金属製のクラウン部本体の、気温による変形及び打球時の衝撃応力による変形によく対応でき、それとの間にある接合部に裂け目ができにくく、ルーズにならない。なお、蓋板１１とクラウン部１との間にある接合手段は、従来の粘着に加わって前記凹凸嵌合機構も施されたので、接合強度が高くてルーズしにくい。
因みに、前記粘着とは、接着剤による粘着はもちろん、粘土等他の粘着体による粘着、または磁力による吸着も含まれる。
【００１４】
次に、図２を参照しながら本発明の第２の実施形態例のゴルフクラブヘッドを説明する。
図２に示す本実施形態例のゴルフクラブヘッドは、凸縁２３の外面には前記凹機構２３１の環状溝の内外周縁にそれぞれ沿っている二つの環状平面２３２、２３３が形成されており、この二つの環状平面２３２、２３３は同一の平面にあって下記のように共に蓋板２１の内面周縁と当たっている。また、蓋板２１の内面周縁にある凸機構２１１は、内面周縁の端部ではなく、それから少々退いた所に凹機構２３１の環状溝と対応するように形成されている。即ち、蓋板２１における凸機構２１１の外側にも平面があって内側の平面と共に凸縁２３の外面にある二つの環状平面２３２、２３３と当たって粘着可能な面積がより広くなっている。
本実施形態例のゴルフクラブヘッドの他の内容は、前記第１の実施形態例のと同じなので、ここでその説明を省く。
【００１５】
そして、図３を参照しながら本発明の第３の実施形態例のゴルフクラブヘッドを説明する。
図３に示す本実施形態例のゴルフクラブヘッドは、凹機構３３１は通孔となっており、凸機構３１１は、開きボルト構造であって、凹機構３３１を貫通してから張り出して前記通孔周縁にある凸縁３３の内面に引っ掛けて、引き出されないようになっている。
また、このような凸縁の内面に引っ掛けた凹凸嵌合機構によるので、蓋板とヘッド本体接合強度がもっと高まる。
本実施形態例のゴルフクラブヘッドの他の内容は、前記第１の実施形態例のと同じなので、ここでその説明を省く。
【００１６】
本発明は、その精神及び必須の特徴事項から逸脱することなく他のやり方で実施することができる。従って、本明細書に記載した好ましい実施例は例示的なものであり、限定的なものではない。
【産業上の利用可能性】
【００１７】
如上のように、本発明のゴルフクラブヘッドは、まずその蓋板が炭素繊維からプラスチック材料に変えられたので、変形性が良くなり、金属製のクラウン部本体の、気温による変形及び打球時の衝撃応力による変形によく対応でき、それとの間にある接合部に裂け目ができにくく、ルーズにならない。特に、蓋板の内面周縁と前記凸縁の外面との間に、凹凸嵌合機構が形成されている場合、更に丈夫で、ルーズにならない。
【００１８】
また、プラスチック材料は炭素繊維より比重が小さいので、蓋板ないしクラウン部が従来より軽量になり、全体の重心がもっと低くなる。
そして、本発明のゴルフクラブヘッドは、前記クラウン部の一部として、プラスチック材料を使用する場合、従来の炭素繊維を使用する場合より製造コストを大いに下げることができる。
【図面の簡単な説明】
【００１９】
【図１】本発明のゴルフクラブヘッドの第１の実施形態例の断面図である。
【図２】本発明のゴルフクラブヘッドの第２の実施形態例の断面図である。
【図３】本発明のゴルフクラブヘッドの第３の実施形態例の断面図である。
【図４】従来例のゴルフクラブヘッドの断面図である。
【符号の説明】
【００２０】
１  クラウン部
１０  ヘッド本体
１１  蓋板
１２  開口
１３  凸縁
２１  蓋板
２３  凸縁
３３  凸縁
１１１  凸機構
１３１  凹機構
２３２、２３３  環状平面
３１１  凸機構
３３１  凹機構
【図１】
2009022571.tif 000003
【図２】
2009022571.tif 000004
【図３】
2009022571.tif 000005
【図４】
2009022571.tif 000006